(57)【特許請求の範囲】
【請求項１】
絶縁操作棒の先端に、固定把持片と可動把持片とを有するヘッドが取り付けられ、上記絶縁操作棒の回転により上記可動把持片を移動させて、上記固定把持片と上記可動把持片との間の間隔を調整するようにした間接活線工具であって、
上記ヘッドの上記絶縁操作棒の先端と対向する位置に固定され、板面の外周側に円周方向に沿って上記絶縁操作棒の先端方向に突出する歯が形成されている円形ギヤ部材と、
上記絶縁操作棒の上記ヘッドと対向する位置に取り付けられ、係止用爪を上記円形ギヤ部材の歯に係止させて該絶縁操作棒が回転しないようにロックするロック機構と、
上記絶縁操作棒の長手方向に沿って配設された絶縁材料からなるロッドにより構成され、一端が上記ロック機構に接続され、他端が上記絶縁操作棒のユーザ把持位置まで延長され、該他端の操作により上記ロック機構によるロックおよび該ロックの解除を操作する操作機構と
を備えることを特徴とする間接活線工具。
【請求項２】
上記ロック機構は、上記係止用爪をロック位置およびロック解除位置に保持する、上記係止用爪の位置保持機構を有する
ことを特徴とする請求項１に記載の間接活線工具。
【請求項３】
上記ロッドの少なくとも一部は、上記絶縁操作棒の内部に配設されている
ことを特徴とする請求項１に記載の間接活線工具。
【発明の詳細な説明】
【技術分野】
【０００１】
この発明は、高圧の架空配電線等の間接活線作業において使用される間接活線工具に関する。
【背景技術】
【０００２】
従来から高圧の架空配電線等の間接活線作業を安全かつ効率よく行うため、絶縁操作棒の先端に把持具等の間接活線作業具を装備した間接活線工具が使用されている（例えば、特許文献１、特許文献２参照）。
【０００３】
図１１は、間接活線工具の一つである従来のストレーリンクトング２００の構成例を示している。このストレーリンクトング２００は、電線の保持、あるいは工具をスムーズに使用するための補助工具として頻繁に使用されている。このストレーリンクトング２００は、絶縁操作棒２１０と、この絶縁操作棒２１０の先端に取り付けられた、保持金具としてのヘッド２２０とから構成されている。
【０００４】
絶縁操作棒２１０は、円筒状（パイプ状）の絶縁性部材により形成されている。絶縁性部材としては、エポキシ樹脂系強化プラスチック、ポリエステル樹脂系強化プラスチック等の、変形し難く、かつ絶縁性が低下しない絶縁性部材が用いられる。この絶縁操作棒２１０の中間部には、感電事故を防ぐために、把持してよい部分とそれ以外の部分との境界を明確にするための安全限界つば２１１が嵌合固定されている。
【０００５】
ヘッド２２０が取り付けられた先端から、当該安全限界つば２１１までの長さは、６００mm（安全限界距離）以上とされている。また、降雨時対策として、絶縁操作棒２１０の、先端と安全限界つば２１１の固定位置との中間には、水切りつば２１２が嵌合固定されている。安全限界つば２１１および水切りつば２１２は、軟質性の合成ゴムにより形成されている。
【０００６】
ヘッド２２０は、間接活線作業において、電線等の保持対象物を保持する部分である。このヘッド２２０は、Ｃ型クランプ状に、例えば、アルミニウム合金で形成されている。ヘッド２２０は、一端側が固定把持片２２２を構成しているヘッド本体２２１と、このヘッド本体２２１にネジ軸２２３を介して、当該ネジ軸２２３の軸方向に移動可能に取り付けられた可動把持片２２４を有している。
【０００７】
ここで、ヘッド本体２２１の他端側が、絶縁操作棒２１０の先端に取り付けられており、ネジ軸２２３の一端側に可動把持片２２４が固定され、このネジ軸２２３の他端側はヘッド本体２２１の他端側を通過して絶縁操作棒２１０の先端側内部の一定位置にまで入り込んでいる。絶縁操作棒２１０を回転させることで、その回転方向により、ヘッド２２０側へのネジ軸２２３の突出長の増減が可能とされ、従って固定把持片２２２と可動把持片２２４との間の間隔が調整可能とされている。
【０００８】
絶縁操作棒２１０の先端には円形ギヤ部材２１３が固定されている。この円形ギヤ部材２１３には、板面の外周側に、円周方向に沿って、ヘッド２２０の方向に突出する歯が形成されている。また、ヘッド２２０には、絶縁操作棒２１０の先端と対向する位置に、ロック機構が固定されている。このロック機構は、ロック操作釦２２５を絶縁操作棒２１０側にスライド操作して係止用爪２２６を上述の円形ギヤ部材２１３の歯に係止させることで、絶縁操作棒２１０が回転しないようにロックする構造となっている。
【０００９】
図１２（ａ）は、ロック操作釦２２５がロック解除位置にある状態を示している。この状態では、係止用爪２２６は円形ギヤ部材２１３の歯に係止されておらず、絶縁操作棒２１０を回転させることができる。例えば、電線２３０を保持する際には、絶縁操作棒２１０を右周り（時計方向）に回転させることで、ヘッド２２０側へのネジ軸２２３の突出長を増加させて、可動把持片２２４を固定把持片２２２に近づけていくことができ、図１２（ｂ）に示すように、電線２３０を可動把持片２２４と固定把持片２２２とで把持した、電線保持状態とできる。
【００１０】
この電線保持状態で、ロック操作釦２２５が絶縁操作棒２１０側にスライド操作され、ロック位置になると、図１２（ｂ）に示すように、係止用爪２２６が円形ギヤ部材２１３の歯に係止されて絶縁操作棒２１０の回転が規制され、ロック状態となる。このロック状態では、絶縁操作棒２１０が回転しないことから、電線２３０を可動把持片２２４と固定把持片２２２とで把持した電線保持状態がゆるむことなく、安定して維持される。
【００１１】
なお、このロック状態から、ロック操作釦２２５を絶縁操作棒２１０から離れる方向にスライド操作されてロック解除位置となると、図１２（ａ）示すように、係止用爪２２６が円形ギヤ部材２１３の歯に係止されない状態となり、絶縁操作棒２１０を回転させて、電線２３０が可動把持片２２４と固定把持片２２２とで把持された電線保持状態を解除できる。
【特許文献１】特開平９−１８２２２９号公報
【特許文献２】特開平８−２７５３２５号公報
【発明の開示】
【発明が解決しようとする課題】
【００１２】
上述のストレーリンクトング２００においては、ヘッド２２０に設けられたロック機構のロック操作釦２２５をスライド操作することで、ロック状態とし、あるいはそのロック状態を解除できる。このロック操作釦２２５の操作は、別の間接活線工具を用いて行っている。従って、ロックとロック解除時には、２つの間接活線工具を使用するため、労力と時間がかかり、作業性がよくないという問題点があった。
【００１３】
この発明の目的は、電線保持等の作業における労力と時間を軽減し、作業性の向上を図ることにある。
【課題を解決するための手段】
【００１４】
この発明の概念は、
絶縁操作棒の先端に、固定把持片と可動把持片とを有するヘッドが取り付けられ、上記絶縁操作棒の回転により上記可動把持片を移動させて、上記固定把持片と上記可動把持片との間の間隔を調整するようにした間接活線工具であって、
上記ヘッドの上記絶縁操作棒の先端と対向する位置に固定され、板面の外周側に円周方向に沿って上記絶縁操作棒の先端方向に突出する歯が形成されている円形ギヤ部材と、
上記絶縁操作棒の上記ヘッドと対向する位置に取り付けられ、係止用爪を上記円形ギヤ部材の歯に係止させて該絶縁操作棒が回転しないようにロックするロック機構と、
上記絶縁操作棒の長手方向に沿って配設された絶縁材料からなるロッドにより構成され、一端が上記ロック機構に接続され、他端が上記絶縁操作棒のユーザ把持位置まで延長され、該他端の操作により上記ロック機構によるロックおよび該ロックの解除を操作する操作機構と
を備えることを特徴とする間接活線工具にある。
【００１５】
この発明においては、ヘッドに円形ギヤ部材が固定されていると共に、絶縁操作棒の先端側にロック機構が取り付けられている。そして、このロック機構によるロックおよびロック解除は、絶縁操作棒の長手方向に沿って配設された操作機構により操作される。このように、この発明においては、ユーザは、ロックおよびロック解除の操作を、操作機構により行うことができ、他の間接活線工具を用いる必要がなく、電線保持等の作業における労力と時間を軽減でき、作業性が向上する。
【００１６】
この発明において、例えば、操作機構は、絶縁操作棒の長手方向に沿って配置された絶縁材料からなるロッドにより構成される。これにより、ユーザは、絶縁材料からなるロッドを介して、手元でロックおよびロック解除を操作できるため、感電事故を防止でき、安全かつ容易に、ロックおよびロック解除の操作を行うことができる。
【００１７】
また、この発明において、例えば、上述のロッドの少なくとも一部は絶縁操作棒の内部に配置されていてもよい。これにより、絶縁操作棒の周囲を簡素にでき、操作機構を構成するロッドがユーザの電線等の保持操作の支障となることを抑制できる。
【００１８】
この発明において、例えば、ロック機構は、係止用爪をロック位置およびロック解除位置に保持する、係止用爪の位置保持機構を有する、ようにされてもよい。この場合、ロック位置およびロック解除位置を、操作機構によりロックおよびロック解除操作を行う際の目標位置として認識可能となり、ユーザの使い勝手が向上する。また、この係止爪の位置保持機構により、係止用爪がロック位置およびロック解除位置に保持されるので、ロック状態あるいはロック解除状態を安定して保持でき、例えば、不用意にロック状態が解除されることを防止できる。
【発明の効果】
【００１９】
この発明によれば、電線保持等の作業における労力と時間を軽減でき、作業性の向上を図ることができる。
【発明を実施するための最良の形態】
【００２０】
以下、図面を参照しながら、この発明の実施の形態について説明する。図１は、実施の形態としてのストレーリンクトング１００の構成例を示している。
【００２１】
このストレーリンクトング１００は、絶縁操作棒１１０と、この絶縁操作棒１１０の先端に取り付けられた、保持金具としてのヘッド１２０とから構成されている。
【００２２】
絶縁操作棒１１０は、円筒状（パイプ状）の絶縁性部材により形成されている。絶縁性部材としては、エポキシ樹脂系強化プラスチック、ポリエステル樹脂系強化プラスチック等の、変形し難く、かつ絶縁性が低下しない絶縁性部材が用いられる。この絶縁操作棒１１０の中間部には、感電事故を防ぐために、把持してよい部分とそれ以外の部分との境界を明確にするための安全限界つば１１１が嵌合固定されている。
【００２３】
ヘッド１２０が取り付けられた先端から、当該安全限界つば１１１までの長さは、６００mm（安全限界距離）以上とされている。また、降雨時対策として、絶縁操作棒１１０の、先端と安全限界つば１１１の固定位置との中間には、水切りつば１１２が嵌合固定されている。安全限界つば１１１および水切りつば１１２は、軟質性の合成ゴムにより形成されている。
【００２４】
ヘッド１２０は、間接活線作業において、電線等の保持対象物を保持する部分である。このヘッド１２０は、Ｃ型クランプ状に、例えば、アルミニウム合金で形成されている。ヘッド１２０は、一端側が固定把持片１２２を構成しているヘッド本体１２１と、このヘッド本体１２１にネジ軸１２３を介して、当該ネジ軸１２３の軸方向に移動可能に取り付けられた可動把持片１２４を有している。
【００２５】
ここで、ヘッド本体１２１の他端側が、絶縁操作棒１１０の先端に取り付けられており、ネジ軸１２３の一端側に可動把持片１２４が固定され、このネジ軸１２３の他端側はヘッド本体部１２１の他端側を通過して絶縁操作棒１１０の先端側内部の一定位置にまで入り込んでいる。絶縁操作棒１１０を回転させることで、その回転方向により、ヘッド１２０側へのネジ軸１２３の突出長の増減が可能とされ、従って固定把持片１２２と可動把持片１２４との間の間隔が調整可能とされている。
【００２６】
ヘッド１２０の絶縁操作棒１１０の先端と対向する位置に、アルミニウム合金等の金属部材で形成された円形ギヤ部材１２５が固定されている。この円形ギヤ部材１２５には、板面の外周側に、円周方向に沿って、絶縁操作棒１１０の先端方向に突出する歯が形成されている。また、絶縁操作棒１１０の先端には、ヘッド１２０に固定された上述の円形ギヤ部材１２５と対向する位置に、ロック機構１１３が取り付けられている。また、このロック機構１１３によるロックおよびロック解除をユーザが手元で操作するための操作機構１１４が、絶縁操作棒１１０の長手方向に沿って配設されている。
【００２７】
操作機構１１４は、エポキシ樹脂系強化プラスチック、ポリエステル樹脂系強化プラスチック等の絶縁材料を用いて形成されたロッド１１５が、支持部材１１６で支持されて構成されている。ここで、支持部材１１６は棒状部材であり、絶縁操作棒１１０に植立された状態とされている。この支持部材１１６の上端側には貫通孔が形成されている。ロッド１１５は、支持部材１１６の貫通孔に挿通された状態とされ、絶縁操作棒１１０の長手方向に移動自在に、当該支持部材１１６で支持されている。このロッド１１５の一端は、ロック機構１１３の操作部に接続されている。また、このロッド１１５の他端は、安全限界つば１１１より後端側に位置し、このロッド１１５の他端に握り部１１７が固定されている。
【００２８】
図２〜図５を参照して、ロック機構１１３について説明する。このロック機構１１３は、アルミニウム合金等の金属部材で形成された係止用爪１３１と、この係止用爪１３１を絶縁操作棒１１０の長手方向に移動自在に保持する爪保持部１３２により構成されている。爪保持部１３２は、エポキシ樹脂系強化プラスチック、ポリエステル樹脂系強化プラスチック等の絶縁材料を用いて形成されている。
【００２９】
係止用爪１３１は、全体として角柱状に形成されているが、ヘッド１２０に固定されている円形ギヤ部材１１３の歯に対向する先端部は、先細のくさび状とされている。爪保持部１３２は、絶縁操作棒１１０の先端側に固定された基部１３２Ａと蓋部１３２Ｂとで構成されている。基部１３２Ａの上部には、絶縁操作棒１１０の長手方向に伸びる、断面矩形状の案内溝１３３が形成されている。この案内溝１３３は、その断面が、係止用爪１３１の断面のより若干大きくなるように形成される。
【００３０】
このように基部１３２Ａに形成された案内溝１３３の内部に、上述した係止用爪１３１が配置されている。そして、この基部１３２Ａの上面に、案内溝１３３に配置された係止用爪１３１の上方への抜けを防止するために、蓋部１３２Ｂが例えばビス１３４を用いて固定されている。
【００３１】
上述したように基部１３２Ａの案内溝１３３の内部に配置される係止用爪１３１の上面側には、円柱状の操作子１３１ａが一体的に形成されている。蓋部１３２Ｂには、図４、図５に示すように、長方形状の開口１３５が設けられており、円柱状の操作子１３１ａは、この開口１３５を通して、外部に導出されている。上述したように、爪保持部１３２に保持された係止用爪１３１は、上述の操作子１３１ａを用いて、絶縁操作棒１１０の長手方向に移動操作される。
【００３２】
上述した操作機構１１４を構成するロッド１１５の一端には、連結部１１８により回動可能にキャップ部１１９が固定されている。これら連結部１１８およびキャップ部１１９もエポキシ樹脂系強化プラスチック、ポリエステル樹脂系強化プラスチック等の絶縁材料を用いて形成されている。係止用爪１３１の操作子１３１ａは、このキャップ部１１９の内部に圧入されている。これにより、ロッド１１５を、絶縁操作棒１１０の長手方向に移動操作することで、係止用爪１３１を絶縁操作棒１１０の長手方向に移動操作することが可能となる。
【００３３】
ロック機構１１３は、上述した構成の他、位置保持機構を有している。すなわち、爪保持部１３２の基部１３２Ａには、案内溝１３３の底面部分に所定の深さで例えば断面矩形状の穴１３６が穿設されている。この穴１３６に、圧縮コイルバネ１３７と、ベアリング１３８ａが回動可能に保持されたベアリング部１３８とが、この順に収納されている。この場合、ベアリング１３８ａの一部が穴１３６から突出するように、ベアリング部１３８は圧縮コイルバネ１３７により付勢された状態におかれる。
【００３４】
また、係止用爪１３１の案内溝１３３の底面に対向する面には、当該係止用爪１３１がロック位置にあるとき、および当該係止用爪１３１がロック解除位置にあるとき、上述の穴１３６の位置と対向する箇所に、絶縁操作棒１１０の長手方向と直交する方向に延びた、断面半円状の溝１３９が形成されている。
【００３５】
上述のロック機構１１３において、係止用爪１３１がロック解除位置にある、ロック解除状態では、図５（ａ）に示すように、ベアリング部１３８が圧縮コイルバネ１３７により付勢されていることから、ベアリング１３８ａの上部が係止用爪１３１の溝１３９に係合される。そのため、係止用爪１３１は、この状態が安定に保持される。
【００３６】
このロック解除状態からロック状態とするため、ロッド１１５が絶縁操作棒１１０の長手方向に移動操作されるとき、図５（ｂ）に示すように、係止用爪１３１の下面によってベアリング部１３８が圧縮コイルバネ１３７の付勢力に抗して穴１３６内に押し込まれ、係止用爪１３１はその状態で移動されていく。この場合、係止用爪１３１の下面にはベアリング１３８ａが当接されており、係止用爪１３１は滑らかに移動していく。
【００３７】
そして、係止用爪１３１がロック位置まで移動した、ロック状態では、図５（ｃ）に示すように、ベアリング部１３８が圧縮コイルバネ１３７により付勢されていることから、ベアリング１３８ａの上部が係止用爪１３１の溝１３９に係合される。そのため、係止用爪１３１は、この状態が安定に保持される。
【００３８】
なお、上述の説明は、係止用爪１３１がロック解除位置からロック位置に移動する際の動作を説明したが、係止用爪１３１がロック位置からロック解除位置に移動する際の動作は上述した動作とは逆の動作となる。
【００３９】
上述したストレーリンクトング１００において、ロック機構１１３の係止用爪１３１がロック解除位置にあり、ロック解除状態にあるときは、図１（ａ）、図２に示すように、当該係止用爪１３１が円形ギヤ部材１２５の歯に係止されていない。そのため、ユーザは、絶縁操作棒１１０を回転させることで、ヘッド１２０側へのネジ軸１２３の突出長を増減でき、従って固定把持片１２２と可動把持片１２４との間の間隔を調整できる。つまり、このロック解除状態において、例えば、固定把持片１２２と可動把持片１２４とで電線２３０を把持した電線保持状態とでき、あるいはその電線保持状態を解除できる。
【００４０】
また、上述したストレーリンクトング１００において、ユーザが握り部１１７を握ってロッド１１５をヘッド１２０側に押して移動させることで、ロック機構１１３の係止用爪１３１はロック解除位置からロック位置まで移動し、ロック状態となる。このロック状態では、図１（ｂ）、図３、図４に示すように、係止用爪１３１が円形ギヤ部材１２５の歯に係止され、絶縁操作棒１１０の回転が抑制される。そのため、電線２３０を可動把持片１２４と固定把持片１２２とで把持した電線保持状態がゆるむことなく、電線が安定して保持される。
【００４１】
また、上述したストレーリンクトング１００において、ユーザが握り部１１７を握ってロッド１１５を絶縁操作棒１１０の後端側に引いて移動させることで、ロック機構１１３の係止用爪１３１はロック位置からロック解除位置まで移動し、ロック解除状態に戻る。そのため、ユーザは、絶縁操作棒１１０を回転させて、例えば、上述の電線２３０を可動把持片１２４と固定把持片１２２とで把持した電線保持状態を解除できる。
【００４２】
以上説明したように、ストレーリンクトング１００においては、ユーザは、ロックおよびロック解除の操作を、絶縁操作棒１１０に沿って配設された操作機構１１４により行うことができ、他の間接活線工具を用いる必要がなく、電線保持等の作業における労力と時間を軽減でき、作業性が向上する。
【００４３】
また、ストレーリンクトング１００においては、操作機構１１４が絶縁材料からなるロッド１１５により構成され、ユーザは、手元でロックおよびロック解除を操作できるため、感電事故を防止でき、安全かつ容易に、ロックおよびロック解除の操作を行うことができる。
【００４４】
また、ストレーリンクトング１００においては、ロック機構１１３は、係止用爪１３１をロック位置およびロック解除位置に保持する、係止用爪１３１の位置保持機構（ベアリング部１３８、圧縮コイルバネ１３７、溝１３９）を有するものであり、ユーザは、ロック位置およびロック解除位置を、操作機構１１４によりロックおよびロック解除操作を行う際の目標位置として認識可能となり、使い勝手が向上する。また、この係止用爪１３１の位置保持機構により、係止用爪１３１がロック位置およびロック解除位置に保持されるので、ロック状態あるいはロック解除状態を安定して保持でき、例えば、不用意にロック状態が解除されることを防止できる。
【００４５】
なお、係止用爪１３１の位置保持機構に関しては、上述した構成に限定されるものではなく、その他の構成を取り得ることは勿論である。例えば、係止用爪１３１の移動を規制する構成ではなく、操作機構１１４を構成するロッド１１５自体の移動を規制する構成とすることもできる。
【００４６】
次に、この発明の他の実施の形態について説明する。図６は、他の実施の形態としてのストレーリンクトング１００Ａの構成例を示している。この図６において、図１と対応する部分には同一符号を付し、適宜、その詳細説明は省略する。
【００４７】
このストレーリンクトング１００Ａは、上述したストレーリンクトング１００と同様に、絶縁操作棒１１０と、この絶縁操作棒１１０の先端に取り付けられた、保持金具としてのヘッド１２０とから構成されている。このヘッド１２０の絶縁操作棒１１０の先端と対向する位置に、アルミニウム合金等の金属部材で形成された円形ギヤ部材１２５が固定されている。また、絶縁操作棒１１０の先端には、ヘッド１２０に固定された上述の円形ギヤ部材１２５と対向する位置に、ロック機構１１３Ａが取り付けられている。また、このロック機構１１３Ａによるロックおよびロック解除をユーザが手元で操作するための操作機構１１４Ａが、絶縁操作棒１１０の長手方向に沿って配設されている。
【００４８】
操作機構１１４Ａは、４本のロッド１１５ａ〜１１５ｄからなっている。これら各ロッドは、エポキシ樹脂系強化プラスチック、ポリエステル樹脂系強化プラスチック等の絶縁材料を用いて形成されている。ロッド１１５ａは、絶縁操作棒１１０の外部に配置されている。このロッド１１５ａの一端は、図７、図８に示すように、ロック機構１１３Ａを構成する係止用爪１３１Ａの後端に設けられた連結部１４０に回動自在に接続されている。
【００４９】
また、このロッド１１５ａの他端は、図７、図８に示すように、ロッド１１５ｂの一端に回動自在に接続されている。このロッド１１５ｂは、図７、図８に示すように、絶縁操作棒１１０に軸１５１をもって回動自在に軸支されている。ここで、ロッド１１５ｂの一端側は絶縁操作棒１１０の外部に存在し、その他端側は絶縁操作棒１１０の内部に存在する。ロッド１１５ａは、絶縁操作棒１１０に植立された支持部材１４１で支持されている。ロッド１１５ａは、支持部材１４１の貫通孔に挿通された状態とされ、絶縁操作棒１１０の長手方向に移動自在に、当該支持部材１４１で支持されている。
【００５０】
また、ロッド１１５ｃは絶縁操作棒１１０の内部に配置されている。このロッド１１５ｃの一端は、図９、図１０に示すように、上述のロッド１１５ｂの他端に回動可能に接続されている。このロッド１１５ｃの他端は、図９、図１０に示すように、ロッド１１５ｄの一端に回動可能に接続されている。このロッド１１５ｄは、図９、図１０に示すように、絶縁操作棒１１０に、軸１５２をもって回動自在に軸支されている。ここで、ロッド１１５ｄの一端側は絶縁操作棒１１０の内部に存在し、その他端側は絶縁操作棒１１０の外部に存在する。このロッド１１５ｄの他端に握り部１１７が固定されている。
【００５１】
ロック機構１１３Ａは、図７、図８に示すように、構成されている。このロック機構１１３Ａは、上述したストレーリンクトング１００におけるロック機構１１３（図２〜図５）と、以下の点を除き、同様に構成されている。すなわち、係止用爪１１３Ａは、ロック機構１１３における係止用爪１１３の操作子１１３ａと同様の操作子を有しておらず、その代わりに、後端側が案内溝１３３から突出する程度に長くされ、その後端部に、上述したようにロッド１１５ａが回動可能に接続される連結部１４０が設けられている。また、上述したように、係止用爪１１３Ａに操作子が存在しないことから、爪保持部１３２を構成する蓋部１３２Ｂには、長方形状の開口（図４、図５参照）は設けられていない。
【００５２】
上述したストレーリンクトング１００Ａにおいて、ロック機構１１３Ａの係止用爪１３１Ａがロック解除位置にあり、ロック解除状態にあるときは、図６（ａ）、図７に示すように、当該係止用爪１３１Ａが円形ギヤ部材１２５の歯に係止されていない。そのため、ユーザは、絶縁操作棒１１０を回転させることで、ヘッド１２０側へのネジ軸１２３の突出長を増減でき、従って固定把持片１２２と可動把持片１２４との間の間隔を調整できる。つまり、このロック解除状態において、例えば、固定把持片１２２と可動把持片１２４とで電線２３０を把持した電線保持状態とでき、あるいはその電線保持状態を解除できる。
【００５３】
また、上述したストレーリンクトング１００Ａにおいて、ユーザが握り部１１７を握ってヘッド１２０側に押すことで、ロッド１１５ｄは反時計回りに回転し、ロッド１１５ｃが絶縁操作棒１１０の後端側に移動し、ロッド１１５ｂが反時計回りに回転し、ロッド１１５ａがヘッド１２０側に移動し、ロック機構１１３Ａの係止用爪１３１Ａがロック解除位置からロック位置まで移動し、ロック状態となる。このロック状態にあるときは、図６（ｂ）、図８に示すように、係止用爪１３１が円形ギヤ部材１２５の歯に係止された状態となり、絶縁操作棒１１０の回転が抑制される。この場合、電線２３０を可動把持片１２４と固定把持片１２２とで把持した電線保持状態がゆるむことなく、電線２３０を安定して保持できる。
【００５４】
また、上述したストレーリンクトング１００Ａにおいて、ユーザが握り部１１７を握って絶縁操作棒１１０の後端側に引くことで、ロッド１１５ｄは時計回りに回転し、ロッド１１５ｃがヘッド１２０側に移動し、ロッド１１５ｂが時計回りに回転し、ロッド１１５ａが絶縁操作棒１１０の後端側に移動し、ロック機構１１３Ａの係止用爪１３１Ａがロック位置からロック解除位置まで移動し、ロック解除状態に戻る。この状態で、ユーザは、絶縁操作棒１１０を回転させて、例えば、上述の電線２３０を可動把持片１２４と固定把持片１２２とで把持した電線保持状態を解除できる。
【００５５】
以上説明したように、ストレーリンクトング１００Ａにおいては、ユーザは、ロックおよびロック解除の操作を、絶縁操作棒１１０に沿って配設された操作機構１１４Ａにより行うことができ、上述のストレーリンクトング１００と同様に、他の間接活線工具を用いる必要がなく、電線保持等の作業における労力と時間を軽減でき、作業性が向上する。
【００５６】
また、ストレーリンクトング１００Ａにおいては、操作機構１１４Ａが絶縁材料からなるロッド１１５ａ〜１１５ｄにより構成され、ユーザは、上述のストレーリンクトング１００と同様に、手元でロックおよびロック解除を操作できるため、感電事故を防止でき、安全かつ容易に、ロックおよびロック解除の操作を行うことができる。
【００５７】
また、ストレーリンクトング１００Ａにおいては、ロック機構１１３Ａは係止用爪１３１Ａの位置保持機構（ベアリング部１３８、圧縮コイルバネ１３７、溝１３９）を有するものであり、ユーザは、上述のストレーリンクトング１００と同様に、ロック位置およびロック解除位置を、操作機構１１４Ａによりロックおよびロック解除操作を行う際の目標位置として認識可能となり、使い勝手が向上する。また、この係止用爪１３１Ａの位置保持機構により、係止用爪１３１Ａがロック位置およびロック解除位置に保持されるので、上述のストレーリンクトング１００と同様に、ロック状態あるいはロック解除状態を安定して保持でき、例えば、不用意にロック状態が解除されることを防止できる。
【００５８】
また、ストレーリンクトング１００Ａにおいては、操作機構１１４Ａを構成するロッド１１５ａ〜１１５ｄの一部が絶縁操作棒１１０の内部に配置されているものであり、絶縁操作棒１１０の周囲を簡素にでき、操作機構１１４Ａを構成するロッドがユーザの電線等の保持操作の支障となることを抑制できる。
【００５９】
なお、上述実施の形態においては、この発明をストレーリンクトング１００，１００Ａに適用したものであるが、この発明は、絶縁操作棒の先端に、固定把持片と可動把持片とを有するヘッドが取り付けられ、絶縁操作棒の回転により可動把持片を移動させて、固定把持片と可動把持片との間の間隔を調整するようにした、その他の間接活線工具にも同様に適用できることは勿論である。
【産業上の利用可能性】
【００６０】
この発明は、電線保持等の作業における労力と時間を軽減し、作業性の向上を図ることができるものであり、電線保持等に使用するストレーリンクトング等の間接活線工具に適用できる。
【図面の簡単な説明】
【００６１】
【図１】この発明の実施の形態としてのストレーリンクトングの構成例を示す図である。
【図２】ロック機構および操作機構の詳細構成（ロック解除状態）を示す図である。
【図３】ロック機構および操作機構の詳細構成（ロック状態）を示す図である。
【図４】ロック機構および操作機構の詳細構成（ロック状態）を示す図である。
【図５】ロック機構の詳細構成を示す一部を切断した図である。
【図６】この発明の他の実施の形態としてのストレーリンクトングの構成例を示す図である。
【図７】ロック機構および操作機構の詳細構成（ロック解除状態）を示す図である。
【図８】ロック機構および操作機構の詳細構成（ロック状態）を示す図である。
【図９】操作機構の詳細構成（ロック解除状態）を示す図である。
【図１０】操作機構の詳細構成（ロック状態）を示す図である。
【図１１】従来のストレーリンクトングの構成例を示す図である。
【図１２】ストレーリンクトングの動作を説明するための図である。
【符号の説明】
【００６２】
１００，１００Ａ・・・ストレーリンクトング、１１０・・・絶縁操作棒、１１１・・・安全限界つば、１１２・・・水切りつば、１１３，１１３Ａ・・・ロック機構、１１４・・・操作機構、１１５，１１５ａ〜１１５ｄ・・・ロッド、１１６，１４１・・・支持部材、１１７・・・握り部、１１８，１４０・・・連結部、１１９・・・キャップ部、１２０・・・ヘッド、１２１・・・ヘッド本体、１２２・・・固定把持片、１２３・・・ネジ軸、１２４・・・可動把持片、１２５・・・円形ギヤ部材、１３１，１３１Ａ・・・係止用爪、１３１ａ・・・操作子、１３２・・・爪保持部、１３２Ａ・・・基部、１３２Ｂ・・・蓋部、１３３・・・案内溝、１３４・・・ビス、１３５・・・開口、１３６・・・穴、１３７・・・圧縮コイルバネ、１３８・・・ベアリング部、１３８ａ・・・ベアリング、１３９・・・溝、１５１，１５２・・・軸、２３０・・・電線
【図１】
0005274066.tif 000002
【図２】
0005274066.tif 000003
【図３】
0005274066.tif 000004
【図４】
0005274066.tif 000005
【図５】
0005274066.tif 000006
【図６】
0005274066.tif 000007
【図７】
0005274066.tif 000008
【図８】
0005274066.tif 000009
【図９】
0005274066.tif 000010
【図１０】
0005274066.tif 000011
【図１１】
0005274066.tif 000012
【図１２】
0005274066.tif 000013